(57)【要約】【課題】ネジが緩む方向に意図的に力を加えない限り、被装着物に装着されたネジが緩むことがないネジの緩み防止機構の提供を課題とする。【解決手段】角環１は角環本体２０とネジ１０とによって構成されている。ネジ１０の一端には雄ネジ部１１が形成されており、他端には頭部１２が形成されている。頭部１２には、バネ部材３０が嵌入可能なスリット１３が形成されている。角環本体２０には、ネジ１０の雄ネジ部１１が螺入する螺入口２１と、ネジ１０の挿入が可能なネジ挿入口２２が設けられている。ネジ挿入口２２の端部には、ネジ１０の頭部１２が挿入可能な頭部挿入口２４が形成されている。頭部挿入口２４の半径は、ネジ１０の頭部１２の半径よりも若干大きい値に選ばれている。ネジ１０の中心からバネ部材３０の端部までの距離が頭部挿入口２４の半径よりも若干大きくなるようにバネ部材３０は形成されている。【選択図】  図１
2005265054.tif 000002
【特許請求の範囲】
【請求項１】
ネジと螺合する被装着物に前記ネジを装着した際、当該ネジの頭部が位置する側の前記
被装着物のネジ挿入口の端部に、前記ネジの頭部が挿入可能な当該頭部の半径よりも若干
大きい半径を有する頭部挿入口が形成され、
当該頭部挿入口に挿入される前記ネジの頭部の側壁には、前記ネジの緩む方向に傾斜し
て延在するバネ部材であって、当該バネ部材の端部と前記ネジの中心との距離が前記頭部
挿入口の半径よりも若干大きくなるように選ばれているバネ部材が配設されていることを
特徴とするネジの緩み防止機構。
【請求項２】
前記ネジは角環を構成するネジであり、前記被装着物は前記角環を構成する角環本体で
あることを特徴とする請求項１に記載のネジの緩み防止機構。
【請求項３】
ネジと螺合する被装着物に前記ネジを装着した際、当該ネジの頭部が位置する側の前記
被装着物のネジの螺入口の端部に、前記ネジの頭部が挿入可能な当該頭部の半径よりも若
干大きい半径を有する頭部挿入口が形成され、
当該頭部挿入口に挿入される前記ネジの頭部の側壁には、前記ネジの緩む方向に傾斜し
て延在するバネ部材であって、当該バネ部材の端部と前記ネジの中心との距離が前記頭部
挿入口の半径よりも若干大きくなるように選ばれているバネ部材が配設されていることを
特徴とするネジの緩み防止機構。
【請求項４】
前記ネジの頭部の径は、前記ネジの軸部の径と同じであることを特徴とする請求項１な
いし３のいずれかの項に記載のネジの緩み防止機構。
【請求項５】
軸部の先端部に雄ネジ部が形成されているネジと螺合する被装着物に前記ネジを装着し
た際、当該ネジの軸部が位置する側の前記被装着物のネジの螺入口の端部に、前記ネジの
軸部が挿入可能な当該軸部の半径よりも若干大きい半径を有する軸部挿入口が形成され、
当該軸部挿入口に挿入される前記ネジの軸部の側壁には、前記ネジの緩む方向に傾斜し
て延在するバネ部材であって、当該バネ部材の端部と前記軸部の中心との距離が前記軸部
挿入口の半径よりも若干大きくなるように選ばれているバネ部材が配設されていることを
特徴とするネジの緩み防止機構。
【発明の詳細な説明】
【技術分野】
【０００１】
本発明は、被装着物に装着されているネジの緩みを防止するネジの緩み防止機構に関す
るものである。
【背景技術】
【０００２】
図８（ａ）は、バッグ本体とベルトとの接続部分に用いられている従来の角環の構成を
示した斜視図であり、図８（ｂ）はその分解斜視図である。
【０００３】
図８（ａ），（ｂ）において、１は角環であり、この角環１は角環本体２０とネジ１０
とによって構成されている。ネジ１０の軸部１０ａの一端には雄ネジ部１１が形成されて
おり、他端には頭部１２が形成されている。２１は雄ネジ部１１が螺入する螺入口であり
、２２はネジ１０の軸部１０ａが挿入可能なネジ挿入口である。２３はネジ１０の頭部１
２が嵌入する嵌入口である。
【０００４】
以上のように構成された角環１を用いてバッグ本体とベルトとを接続する場合には、予
め角環本体２０をバッグ本体に装着しておき、ベルトの端部に形成されている貫通口をネ
ジ挿入口２２と螺入口２１との間に位置させて、この貫通口にネジ１０を貫通させた後、
雄ネジ部１１を螺入口２１に螺入させ、ネジ１０を締めてこれを角環本体２０に固定する
。
【発明の開示】
【発明が解決しようとする課題】
【０００５】
このような従来の角環１でバッグ本体とベルトとを接続した場合、バッグの使用時にお
いて、ベルトが動く毎に、ネジ１０にはそのネジ１０を回す方向（締まる方向または緩む
方向）にベルトの摩擦による力が加わる。
【０００６】
従って、従来の角環１においては、バッグの使用中にネジ１０が緩むことがあり、時と
してネジ１０が角環本体２０から外れてしまうという問題があった。
【課題を解決するための手段】
【０００７】
以上の問題を解決するために本発明は、第１に、ネジと螺合する被装着物に前記ネジを
装着した際、当該ネジの頭部が位置する側の前記被装着物のネジ挿入口の端部に、前記ネ
ジの頭部が挿入可能な当該頭部の半径よりも若干大きい半径を有する頭部挿入口が形成さ
れ、当該頭部挿入口に挿入される前記ネジの頭部の側壁には、前記ネジの緩む方向に傾斜
して延在するバネ部材であって、当該バネ部材の端部と前記ネジの中心との距離が前記頭
部挿入口の半径よりも若干大きくなるように選ばれているバネ部材が配設されていること
を特徴とするものである。ここで、前記ネジは角環を構成するネジであり、前記被装着物
は前記角環を構成する角環本体としてもよい。さらに、前記ネジの頭部の径は、前記ネジ
の軸部の径と同じとしてもよい。
【０００８】
以上の問題を解決するために本発明は、第２に、ネジと螺合する被装着物に前記ネジを
装着した際、当該ネジの頭部が位置する側の前記被装着物のネジの螺入口の端部に、前記
ネジの頭部が挿入可能な当該頭部の半径よりも若干大きい半径を有する頭部挿入口が形成
され、当該頭部挿入口に挿入される前記ネジの頭部の側壁には、前記ネジの緩む方向に傾
斜して延在するバネ部材であって、当該バネ部材の端部と前記ネジの中心との距離が前記
頭部挿入口の半径よりも若干大きくなるように選ばれているバネ部材が配設されているこ
とを特徴とするものである。ここで、前記ネジの頭部の径は、前記ネジの軸部の径と同じ
としてもよい。
【０００９】
以上の問題を解決するために本発明は、第３に、軸部の先端部に雄ネジ部が形成されて
いるネジと螺合する被装着物に前記ネジを装着した際、当該ネジの軸部が位置する側の前
記被装着物のネジの螺入口の端部に、前記ネジの軸部が挿入可能な当該軸部の半径よりも
若干大きい半径を有する軸部挿入口が形成され、当該軸部挿入口に挿入される前記ネジの
軸部の側壁には、前記ネジの緩む方向に傾斜して延在するバネ部材であって、当該バネ部
材の端部と前記軸部の中心との距離が前記軸部挿入口の半径よりも若干大きくなるように
選ばれているバネ部材が配設されていることを特徴とするものである。
【発明の効果】
【００１０】
本発明によれば、ネジが緩む方向に意図的に力を加えない限り、被装着物に装着された
ネジが緩むことはない。
【発明を実施するための最良の形態】
【００１１】
以下、図面を用いて本発明の実施例を説明する。
【実施例１】
【００１２】
図１は本発明の実施例１に係る角環１の構成を示したものであり、図１（ａ）は角環１
の斜視図、図１（ｂ）はその分解斜視図である。
【００１３】
図１（ａ），（ｂ）において従来の角環を示した図８（ａ），（ｂ）と同一符号のもの
は同一のものを示している。３０は弾性材によって構成されているバネ部材であり、１３
はバネ部材３０を配設するためにネジ１０の頭部１２に形成されているスリットである。
また、図８（ｂ）に示した従来の角環において嵌入口２３が形成されている位置には、以
下に説明する頭部挿入口２４が形成されている。
【００１４】
この頭部挿入口２４は、図２（ａ）に示したようにネジ挿入口２２の端部に形成されて
おり、その半径Ｒは、ネジ１０の頭部１２の半径ｒ１よりも若干大きな値となるように選
ばれている。
【００１５】
図２（ｂ）はネジ１０の頭部１２の平面図であり、図２（ｃ）はネジ挿入口２２および
頭部挿入口２４の平面図である。
【００１６】
図２（ｂ）に示したように、バネ部材３０は、頭部１２に装着した際、頭部１２の側壁
からネジ１０が緩む方向Ａに角度Ｘだけ傾斜して延在するような形状に形成されている。
また、このバネ部材３０の端部と頭部１２の中心（ネジ１０の中心）との距離ｒ２が頭部
挿入口２４の半径Ｒよりも若干大きな値となるようにバネ部材３０は形成されている。
以上のように構成された本実施例１の動作を図３を用いて説明する。
【００１７】
図３（ａ）は角環本体２０の側面図であり、図３（ｂ）はネジ１０の頭部付近の構成を
示す部分断面図である。図３（ａ），（ｂ）においてＡはネジ１０が緩む方向を示し、Ｂ
はネジ１０を締まる方向を示している。
【００１８】
図３（ｂ）に示したように、バネ部材３０は、ネジ１０の頭部１２の側壁に、ネジ１０
が緩む方向（方向Ａ）に傾斜して延在するように形成されているので、ネジ１０を締める
場合には容易に変形してその端部が頭部挿入口２４の側壁に当接した状態を保つ。
【００１９】
このような状態で、ネジ１０を締めてゆき、最終的にネジ１０を締め込んでネジ１０を
角環本体２０に固定する。
【００２０】
ネジ１０が角環本体２０に固定された状態、すなわち、ネジが被装着物である角環本体
２０に装着された状態においては、ネジ１０に緩む方向Ａの力が作用すると、バネ部材３
０の端部には、その端部が広がる方向の力が作用する。すなわち、ネジ１０に緩む方向Ａ
の力が作用すると、バネ部材３０の端部と頭部挿入口２４の側壁との摩擦力が著しく増大
してネジ１０が緩むことを阻止する。
【００２１】
このようにして、本実施例１においては、被装着物である角環本体２０に装着されてい
るネジ１０が緩むことを防止することができる。
【００２２】
なお、本実施例１においては図１（ｂ）に示したように、バネ部材３０を、ネジ１０の
頭部１２のスリット１３に嵌入する構成となっている。このバネ部材３０の斜視図を図４
（ａ）に示す。ここで、バネ部材３０の形状を図４（ｂ）に示したように中央部で少し曲
げるような形状としたり、図４（ｃ）に示したようにバネ部材３０の中央部に凸部を形成
すれば、バネ部材３０をスリット１３内に係止させることができ、ネジ１０の締め込み作
業を容易にすることができる。
【００２３】
また、図５（ａ）に示したように、ネジ１０の頭部１２の側壁にバネ部材の挿入口１４
を形成し、図５（ａ）に示したような形状のバネ部材３１をこの挿入口１４に挿入するこ
とによって、図５（ｂ）に示したようにバネ部材３１をネジ１０の頭部１２の側壁に配設
するように構成してもよい。さらに、バネ部材は板状のバネ部材に限られるものではなく
、図６（ａ），（ｂ）に示したように棒状のバネ部材３２としてもよい。
【００２４】
以上、角環１に係る本発明の実施例について説明したが、本発明の適用範囲は角環に限
られるものではない。即ち、ネジが装着される被装着物はどのような物であっても本発明
の効果を得ることができる。
【００２５】
また、以上に説明した実施例１においては、ネジ１０の軸部１０ａの一端に雄ネジ部１
１が形成され他端に頭部１２が形成されており、このネジ１０が装着される被装着物であ
る角環本体２０のネジ挿入口２２の端部に頭部挿入口２４が形成されている構成となって
いる。ここで、ネジの軸部の全長に亘って雄ネジ部が形成され、このネジと螺合する螺入
口が被装着物に形成されている場合には、その螺入口の端部に頭部挿入口を形成すれば、
本発明の効果を得ることができる。
【００２６】
さらに、以上の説明においては、ネジの頭部の径は軸部の径よりも大きいものとして説
明してきたが、本発明が適用可能なネジは、頭部の径が軸部の径よりも大きいネジに限ら
れるものではなく、頭部の径が軸部の径と同じ大きさであるネジを用いた場合でも本発明
の効果は充分に得ることができる。
【実施例２】
【００２７】
以下、図面を用いて本発明の実施例２について説明する。
【００２８】
図７は本発明の実施例２の構成を示した分解斜視図である。図７において、従来の角環
の構成を示した図８と同一符号のものは同一のものを示しているのでその説明は省略する
。
【００２９】
図８の従来の角環１の構成に示したように、ネジ１０の軸部１０ａの先端部にのみ雄ネ
ジ部１１が形成され、この雄ネジ部１１が被装着物である角環本体２０の螺入口２１に螺
入されて固定される構成のものである場合には、図７に示したように雄ネジ部１１に隣接
する軸部１０ａの側壁にバネ部材３３を配設し、被装着物である角環本体２０の螺入口２
１の端部に軸部挿入口２５を形成しても本発明の効果を得ることができる。ここで、１５
は雄ネジ部１１に隣接している軸部１０ａにバネ部材３３を配設するためのスリットであ
る。
【００３０】
図７に示したように構成する場合には、軸部挿入口２５の径の値は、ネジ１０の軸部１
０ａの径の値よりも若干大きくなるように選ぶ必要がある。
【００３１】
また、バネ部材３３をスリット１５に挿入してネジ１０の軸部１０ａに装着したときに
、軸部１０ａの側壁からネジ１０が緩む方向に傾斜して延在するような形状にバネ部材３
３を形成する必要があり、さらに、このバネ部材３３は、その端部と軸部１０ａの中心と
の距離が軸部挿入口２５の半径よりも若干大きな値となるように形成する必要が
ある。
【産業上の利用可能性】
【００３２】
本発明によれば、ネジを締め込んで被装着物に固定するものであれば、どのようなもの
でも、そのネジがそのものの使用中に緩むことを防止することができる。
【図面の簡単な説明】
【００３３】
【図１】本発明の実施例１に係る角環の構成を示した図であり、（ａ）は斜視図、（ｂ）は分解斜視図である。
【図２】図１に示した角環の構成の説明図である。
【図３】図１に示した角環の構成の説明図である。
【図４】図１に示したバネ部材の説明図である。
【図５】図１に示したバネ部材の説明図である。
【図６】図１に示したバネ部材の説明図である。
【図７】本発明の実施例２に係る角環の構成を示した分解斜視図である。
【図８】従来の角環の構成を示した図であり、（ａ）は斜視図、（ｂ）は分解斜視図である。
【符号の説明】
【００３４】
１  角環
１０  ネジ
１０ａ  軸部
１１  雄ネジ部
１２  頭部
１３，１５  スリット
１４  挿入口
２０  角環本体
２１  螺入口
２２  ネジ挿入口
２３  嵌入口
２４  頭部挿入口
２５  軸部挿入口
３０，３１，３２，３３  ネジ部材
Ａ，Ｂ  方向
Ｒ，ｒ１  半径
ｒ２  距離
Ｘ  角度
【図１】
2005265054.tif 000003
【図２】
2005265054.tif 000004
【図３】
2005265054.tif 000005
【図４】
2005265054.tif 000006
【図５】
2005265054.tif 000007
【図６】
2005265054.tif 000008
【図７】
2005265054.tif 000009
【図８】
2005265054.tif 000010